(57)【要約】      （修正有）【課題】モバイル機器を利用するスクリーン野球の競技方法を提供する。【解決手段】モバイル機器を利用するスクリーン野球の競技方法は、（ａ）モバイル機器がオペレータＰＣのディスプレイ部に表示された識別子のイメージを認識すると、モバイル機器のユーザが会員か否かが確認される段階；（ｂ）ユーザが会員であることが確認された場合は、モバイル機器が自動的にログインされる段階；及び（ｃ）自動ログインされたモバイル機器がＷｉ−Ｆｉエリアに位置する場合、スクリーン野球の競技のコントロールをリアルタイムで実行する段階；を含むことを特徴とする。【選択図】図２
2018033952.tif 000002
【特許請求の範囲】
【請求項１】
Ｗｉ−Ｆｉエリアが設定されているスクリーン野球システム内に位置するオペレータＰＣのディスプレイ部；及び
スクリーン野球システムのユーザが携帯するモバイル機器
を利用したスクリーン野球の競技方法であって、
（ａ）前記モバイル機器が前記オペレータＰＣのディスプレイ部に表示された識別子のイメージを認識すると、前記モバイル機器のユーザが会員か否かが確認される段階；
（ｂ）ユーザが会員であることが確認された場合、前記モバイル機器が自動的にログインされる段階；及び
（ｃ）自動ログインされた前記モバイル機器がＷｉ−Ｆｉエリアに位置する場合、スクリーン野球の競技が実行され、ユーザの前記モバイル機器を介してスクリーン野球の競技のコントロールがリアルタイムで実行される段階；を含み、
前記（ｃ）段階中、前記モバイル機器がＷｉ−Ｆｉエリアから外れた場合、自動ログアウトされ、前記モバイル機器を介したスクリーン野球の競技のコントロールが不可能であり、前記モバイル機器が再びＷｉ−Ｆｉエリアに位置する場合、再び自動ログインされてスクリーン野球の競技のコントロールが可能であり、
前記スクリーン野球の競技のコントロールは、スクリーン野球システムにおける攻撃モードのためのコントロールと守備モードのためのコントロールを含む、
モバイル機器を利用するスクリーン野球の競技方法。
【請求項２】
前記（ａ）段階の前に、
前記モバイル機器を利用してアプリケーションのインストールを通じて会員として登録される段階；及び
前記オペレータＰＣの前記ディスプレイ部に前記識別子のイメージであるＷｉ−Ｆｉサービスのセット識別子のイメージがディスプレイされる段階；
をさらに含むことを特徴とする、
請求項１に記載のモバイル機器を利用するスクリーン野球の競技方法。
【請求項３】
前記（ａ）段階は、
前記Ｗｉ−Ｆｉサービスのセット識別子を介して前記モバイル機器のユーザが会員か否かが確認されることを特徴とする、
請求項２に記載のモバイル機器を利用するスクリーン野球の競技方法。
【請求項４】
前記（ｂ）段階は、
前記モバイル機器が前記オペレータＰＣにユーザ情報を送信する段階；
をさらに含むことを特徴とする、
請求項２に記載のモバイル機器を利用するスクリーン野球の競技方法。
【請求項５】
前記（ｃ）段階は、
（ｃ−１）前記自動ログインされたモバイル機器の前記Ｗｉ−Ｆｉエリアの離脱かどうかがリアルタイムで確認される段階；
（ｃ−２）前記Ｗｉ−Ｆｉエリアから離脱されたことが確認された場合、前記自動ログインされたモバイル機器が自動的にログアウトされる段階；
（ｃ−３）前記自動ログアウトされたモバイル機器が前記Ｗｉ−Ｆｉエリアに再入されたかどうかがリアルタイムで確認される段階；及び
（ｃ−４）前記Ｗｉ−Ｆｉエリアから離脱されていないことが確認された場合、前記スクリーン野球の競技のコントロールが実行される段階；
を含むことを特徴とする、
請求項１に記載のモバイル機器を利用するスクリーン野球の競技方法。
【請求項６】
前記（ｃ−３）の段階において、前記自動ログアウトされたモバイル機器が前記Ｗｉ−Ｆｉエリアに再入されたことが確認された場合、前記モバイル機器が再び自動的にログインされることを特徴とする、
請求項５に記載のモバイル機器を利用するスクリーン野球の競技方法。
【請求項７】
前記自動ログアウトされたモバイル機器が前記Ｗｉ−Ｆｉエリアに再入されないことが確認された場合、
前記再入するかどうかの確認がリアルタイムで繰り返されることを特徴とする、
請求項６に記載のモバイル機器を利用するスクリーン野球の競技方法。
【請求項８】
前記（ｃ）段階は、
攻撃モードにおいて、前記モバイル機器でバスター、代走、盗塁、ヒットエンドラン、ランエンドヒット及びバントのいずれか一つ以上を選択して攻撃のゲームをコントロールすることを特徴とする、
請求項１に記載のモバイル機器を利用するスクリーン野球の競技方法。
【請求項９】
前記（ｃ）段階は、
攻撃モードにおいて、前記モバイル機器で打者の打順を調整したり、ＤＢサーバに既に保存されている打者の選手能力データを参照して、ピンチヒッタを実行させることを特徴とする、
請求項２に記載のモバイル機器を利用するスクリーン野球の競技方法。
【請求項１０】
前記（ｃ）段階は、
守備モードにおいて、前記モバイル機器で守備シフト、投手の球種、球の変化、球速、制球力及び敬遠のいずれか一つ以上を選択し、守備のゲームをコントロールすることを特徴とする、
請求項１に記載のモバイル機器を利用するスクリーン野球の競技方法。
【請求項１１】
前記（ｃ）段階は、
守備モードにおいて、前記モバイル機器で先発投手または抑え投手を交換したり、先発ローテーションの順序を変更させることを特徴とする、
請求項１に記載のモバイル機器を利用するスクリーン野球の競技方法。
【請求項１２】
前記（ｃ−４）段階の後に、
前記オペレータＰＣが、ユーザがスクリーン野球の競技の進行を継続するかどうかを確認する段階；及び
前記進行し続ける意思が前記ユーザにあることが確認された場合、前記（ｃ−１）段階に回帰する段階；
をさらに含むことを特徴とする、
請求項５に記載のモバイル機器を利用するスクリーン野球の競技方法。
【請求項１３】
前記（ａ）段階において、ユーザが非会員であることが確認された場合、又は前記（ｃ）段階の後に、前記進行し続ける意思が前記ユーザにないことが確認された場合、動作が終了されることを特徴とする、
請求項１２に記載のモバイル機器を利用するスクリーン野球の競技方法。
【発明の詳細な説明】
【技術分野】
【０００１】
本発明は、スクリーン野球の競技方法に関し、特にモバイル機器でオペレータＰＣのディスプレイ部で提供される所定の識別子を認識し、別途のリーダーなしに自動ログインし、スクリーン野球の競技の攻撃または守備に対するコントロールをゲームの中断なしにリアルタイムで行うことができるコントローラとしてモバイル機器を使用することができるモバイル機器を利用するスクリーン野球の競技方法に関する。
【背景技術】
【０００２】
最近、モバイル機器の発展に伴い、多様なコンテンツまたはモバイルゲームは、モバイル市場での利益創出を図る新たなアイテムとして浮上している。
また、規模の小さいモバイルゲームメーカーは、自社が開発したモバイルゲームを促進することに困難が多いのが現状である。
【０００３】
併せて、日本の場合、韓国とは異なり、漫画喫茶やカフェのコンセプトが混在したネットカフェが活性化されているのがトレンドであり、韓国でもこのようなネットカフェが徐々に増加している。
【０００４】
その場合、ネットカフェでモバイルゲームのアイテムをオフラインで販売したり、ネットカフェにインストールされて構築された事業者のアクセスポイントを介して接続したモバイルゲームに対して特恵を与えると、ネットカフェの売り上げが増大すると共に、モバイルゲームメーカー及びアクセスポイント（ＡＰ：Ａｃｃｅｓｓ  Ｐｏｉｎｔ）を構築したシステム事業者にも収益を創出することができる。
【０００５】
そのような必要性により最近、事業者が構築したアクセスポイントにユーザの端末装置が接続し、それに応じて提供されるアプリケーション（Ａｐｐ：ａｐｐｌｉｃａｔｉｏｎ）に含まれたソフトウェア開発キット（ＳＤＫ：Ｓｏｆｔｗａｒｅ  Ｄｅｖｅｌｏｐｍｅｎｔ  Ｋｉｔ）を活用し、保持している利用権を認証することにより、モバイルゲームの実行時に利用権に対応する多様な利用のメリットの提供を受けるＷｉ−Ｆｉを利用したモバイルゲームアプリケーションシステムなどが市販されている。
【０００６】
ところで、従来のＷｉ−Ｆｉを利用したモバイルゲームアプリケーションシステムの場合は、モバイル機器に保存された認証コードのイメージをオペレータＰＣにリーディングさせてログインしなければならないため、オペレータＰＣに認証コードを認識するための別途のリーダーがさらに必須で備えられなければならない限界があった。
【０００７】
また、従来、モバイル機器とオペレータＰＣは、双方向通信をサポートしないという問題があった。
一方、移動端末を常に携帯しているものの、通信に使用する時間が少ないため、残りの時間に移動端末を効率的に活用するために、多様な付加機能を移動端末に追加しているが、そのような付加機能中、約１０センチメートル（ｃｍ）の近距離の範囲でリーダー（ｒｅａｄｅｒ）または相手方の移動端末と無線接続してデータ信号を送受信するエヌエフシー（ＮＦＣ：ｎｅａｒ  ｆｉｅｌｄ  ｃｏｍｍｕｎｉｃａｔｉｏｎ）方式の無線通信技術が開発及び適用されている。
【０００８】
ここで、エヌエフシー（ＮＦＣ）は、１０センチメートルの近距離で無線通信する方式であるため、少なく電力を消費する特性を利用し、クレジットカードのように金融取引を電子決済するカードモード、一対一で無線接続してデータ信号を送受信するＰ２Ｐモード、簡単な情報を読んで確認するリードモードなどとして運用される。
【０００９】
そのようなＮＦＣやその他のＱＲコード（登録商標）、ＢＡＲコードなどを利用し、ユーザがモバイル機器をアクセスポイントの領域内に位置するオペレータＰＣなどにタグ付けするだけで、モバイル機器がアクセスポイントの無線ネットワークに自動的に接続して自動ログインする方法も従来からあったが、これも認証コード認識用の別途のリーダーが必須で備えられなければならない限界とモバイル機器とオペレータＰＣが双方向通信をサポートしないという問題を共通して有していた。
【００１０】
そこで、本発明者らは、オペレータＰＣに認証コードを認識するための別途のリーダーがさらに必須で備えられなければならない従来技術の限界を克服し、モバイル機器がオペレータＰＣと双方向通信を介してコントローラ機能を行えるスクリーン野球の競技方法を考案するに至った。
【先行技術文献】
【特許文献】
【００１１】
【特許文献１】韓国登録特許第１０−１６０４９２７号公報
【発明の概要】
【発明が解決しようとする課題】
【００１２】
本発明の目的は、モバイル機器でスクリーン野球システムに配置されたオペレータＰＣのディスプレイ部で提供するＷｉ−Ｆｉサービスのセット識別子を認識し、別途のリーダーなしに自動ログインし、スクリーン野球の競技の攻撃または守備に対するコントロールが可能なコントローラとしてモバイル機器を使用することができるモバイル機器を利用するスクリーン野球の競技方法を提供することにある。
【課題を解決するための手段】
【００１３】
前記目的を達成するための本発明のモバイル機器を利用するスクリーン野球の競技方法は、（ａ）モバイル機器がオペレータＰＣのディスプレイ部に表示された識別子のイメージを認識すると、前記モバイル機器のユーザが会員か否かが確認される段階；（ｂ）ユーザが会員であることが確認された場合は、前記モバイル機器が自動的にログインされる段階；及び（ｃ）前記自動ログインされたモバイル機器がＷｉ−Ｆｉエリアに位置する場合、スクリーン野球の競技のコントロールをリアルタイムで実行する段階；を含むことを特徴とする。
【００１４】
前記目的を達成するための本発明のモバイル機器を利用するスクリーン野球の競技方法は、前記（ａ）段階の前に、前記モバイル機器を利用し、アプリケーションのインストールを通じて会員として登録される段階；及び前記オペレータＰＣの前記ディスプレイ部に前記識別子のイメージであるＷｉ−Ｆｉサービスのセット識別子のイメージがディスプレイされる段階；をさらに含むことを特徴とする。
【００１５】
前記目的を達成するための本発明のモバイル機器を利用するスクリーン野球の競技方法の前記（ａ）段階は、前記Ｗｉ−Ｆｉサービスのセット識別子を介して前記モバイル機器のユーザが会員か否かが確認されることを特徴とする。
【００１６】
前記目的を達成するための本発明のモバイル機器を利用するスクリーン野球の競技方法の前記（ｂ）段階は、前記モバイル機器が前記オペレータＰＣにユーザ情報を送信する段階；をさらに含むことを特徴とする。
【００１７】
前記目的を達成するための本発明のモバイル機器を利用するスクリーン野球の競技方法の前記（ｃ）段階は、（ｃ−１）前記自動ログインされたモバイル機器の前記Ｗｉ−Ｆｉエリアの離脱かどうかがリアルタイムで確認される段階；（ｃ−２）前記Ｗｉ−Ｆｉエリアから離脱されたことが確認された場合、前記自動ログインされたモバイル機器が自動的にログアウトされる段階；（ｃ−３）前記自動ログアウトされたモバイル機器が前記Ｗｉ−Ｆｉエリアに再入されたかどうかがリアルタイムで確認される段階；及び（ｃ−４）前記Ｗｉ−Ｆｉエリアから離脱されていないことが確認された場合、前記スクリーン野球の競技のコントロールが実行される段階；を含むことを特徴とする。
【００１８】
前記目的を達成するための本発明のモバイル機器を利用するスクリーン野球の競技方法の前記（ｃ−３）の段階で、前記自動ログアウトされたモバイル機器が前記Ｗｉ−Ｆｉエリアに再入されたことが確認された場合、前記モバイル機器が再び自動的にログインされることを特徴とする。
【００１９】
前記目的を達成するための本発明のモバイル機器を利用するスクリーン野球の競技方法は、前記自動ログアウトされたモバイル機器が前記Ｗｉ−Ｆｉエリアに再入されていないことが確認された場合、前記再入するかどうかの確認がリアルタイムで繰り返されることを特徴とする。
【００２０】
前記目的を達成するための本発明のモバイル機器を利用するスクリーン野球の競技方法の前記（ｃ）段階は、攻撃モードにおいて、前記モバイル機器でバスター、代走、盗塁、ヒットエンドラン、ランエンドヒット及びバントのいずれか一つ以上を選択して攻撃のゲームをコントロールすることを特徴とする。
【００２１】
前記目的を達成するための本発明のモバイル機器を利用するスクリーン野球の競技方法の前記（ｃ）段階は、攻撃モードにおいて、前記モバイル機器で打者の打順を調整したり、前記ＤＢサーバに既に保存されている打者の選手能力データを参照し、ピンチヒッタを実行させることを特徴とする。
【００２２】
前記目的を達成するための本発明のモバイル機器を利用するスクリーン野球の競技方法の前記（ｃ）段階は、守備モードで前記モバイル機器で守備シフト、投手の球種、球の変化、球速、制球力及び敬遠のいずれ一つ以上を選択し、守備のゲームをコントロールすることを特徴とする。
【００２３】
前記目的を達成するための本発明のモバイル機器を利用するスクリーン野球の競技方法の前記（ｃ）段階は、守備モードで前記モバイル機器で先発投手または抑え投手を交換したり、先発ローテーションの順序を変更させることを特徴とする。
【００２４】
前記目的を達成するための本発明のモバイル機器を利用するスクリーン野球の競技方法は、前記（ｃ−４）段階の後に、前記オペレータＰＣが、ユーザがスクリーン野球の競技の進行を継続するかどうかを確認する段階；及び、前記進行し続ける意思が前記ユーザにあることが確認された場合、前記（ｃ−１）段階に回帰する段階；をさらに含むことを特徴とする。
【００２５】
前記目的を達成するための本発明のモバイル機器を利用するスクリーン野球の競技方法は、前記（ａ）段階でユーザが非会員であることが確認された場合又は前記（ｃ）段階の後に、前記進行し続ける意思が前記ユーザにないことが確認された場合、動作が終了することを特徴とする。
【００２６】
その他の実施例の具体的な事項は、「発明を実施するための形態」及び添付の「図面」に含まれている。
本発明の利点及び／または特徴、そしてそれらを達成する方法は、添付される図面と共に詳しく後述されている各種の実施例を参照すると明確になるであろう。
【００２７】
しかし、本発明は、以下に開示される各実施例の構成のみに限定されるものではなく、互いに異なる多様な形態でも実施されることができ、単に本明細書で開示したそれぞれの実施例は、本発明の開示が完全になるようにし、本発明が属する技術分野における通常の知識を有する者に本発明の範疇を完全に知らせるために提供されるものであり、本発明は、請求範囲の各請求項のカテゴリにより定義されるだけであることを理解すべきである。
【発明の効果】
【００２８】
本発明による場合は、別途のリーダーのインストールなしに、ユーザがモバイル機器でスクリーン野球システムに配置されたオペレータＰＣに表示されたＷｉ−Ｆｉサービスのセット識別子のイメージを撮影し、単純に認識する動作だけで自動ログインされるため、ユーザの簡便性及び利便性が増大し、オペレータの生産性が向上する。
【００２９】
また、ユーザがモバイル機器をスクリーン野球の競技の攻撃または守備に対するコントローラとしてゲームの中断なしにリアルタイムで作戦などを変更することができ、ユーザの参加度及び興味を効果的に誘発することができるようになる。
【図面の簡単な説明】
【００３０】
【図１】本発明によりモバイル機器を利用するスクリーン野球の競技方法を具現するためのシステムの構成図である。
【図２】本発明の一実施例によるモバイル機器を利用するスクリーン野球の競技方法の動作を概略的に示すフローチャートである。
【図３】図２に示されたスクリーン野球の競技方法の動作中の段階（Ｓ２００）の詳細動作を示すフローチャートである。
【図４】図２に示されたスクリーン野球の競技方法の動作中の段階（Ｓ４００）の詳細動作を示すフローチャートである。
【発明を実施するための形態】
【００３１】
以下、添付した図面を参考にし、本発明の好適な実施例について詳しく説明する。
本発明を詳しく説明する前に、本明細書で使用される用語や単語は通常的であるか、辞典的な意味で無条件に限定して解釈されてはならず、本発明の発明者が自分の発明を最善の方法で説明するために各種用語の概念を適切に定義して使用することができ、さらに、これらの用語や単語は、本発明の技術的思想に符合する意味と概念で解釈されるべきであることを理解すべきである。
【００３２】
すなわち、本明細書で使用される用語は、本発明の好適な実施例を説明するために使用されるものに過ぎず、本発明の内容を具体的に限定しようとする意図で使用されたものではなく、これらの用語は、本発明の多様な可能性を考慮して定義された用語であることを理解すべきである。
【００３３】
また、本明細書において、単数の表現は、文脈上明らかに別の意味で指示していない以上、複数の表現を含むことができ、類似に複数で表現されているにしても、単数の意味を含むことができることを理解すべきである。
【００３４】
本明細書の全体にわたってある構成要素が他の構成要素を「含む」と記載する場合には、特に反対される意味の記載がない限り、任意の他の構成要素を除外するのではなく、任意の他の構成要素をさらに含むこともできるということを意味する。
【００３５】
さらに、ある構成要素が他の構成要素の「内部に存在したり、接続されてインストールされる」と記載した場合には、この構成要素が他の構成要素と直接接続されているか、接触してインストールされていることができ、一定の距離を置いて離隔してインストールされていることもでき、一定の距離を置いて離隔して設置されている場合に対しては、該当構成要素を他の構成要素に固定ないし接続させるための第３の構成要素または手段が存在することができ、また、この第３の構成要素または手段についての説明は省略されることを理解すべきである。
【００３６】
一方、ある構成要素が他の構成要素に「直接接続」されているか、または「直接接続」されていると記載される場合には、第３の構成要素または手段が存在しないと理解しなければならない。
【００３７】
同様に、構成要素間の関係を説明する他の表現、すなわち、「〜の間に」と「すぐ〜の間に」、または「〜に隣接する」と「〜に直接隣接する」なども同様の趣旨を有していると解釈されるべきである。
【００３８】
また、本明細書において、「一面」、「他面」、「一側」、「他側」、「第１」、「第２」などの用語は、使用されれば、１つの構成要素に対しては、１つの構成要素が他の構成要素から明確に区別されるようにするために使用され、このような用語により、該当構成要素の意味が限定的に使用されるものではないことを理解すべきである。
【００３９】
また、本明細書において、「上」、「下」、「左」、「右」などの位置に関連する用語は、使用される場合は、該当構成要素については、該当図面での相対的な位置を示しているものと理解しなければならず、それらの位置に対して絶対的な位置を特定していない以上、これらの位置に関連する用語が絶対的な位置に言及しているものと理解すべきではない。
【００４０】
さらに、本発明の明細書では、「…部」、「…器」、「モジュール」、「装置」などの用語は、使用される場合は、１つ以上の機能や動作を処理することができる単位を意味し、これはハードウェアまたはソフトウェア、あるいはハードウェアとソフトウェアの組み合わせで具現されることを理解すべきである。
【００４１】
また、本明細書では、各図面の各構成要素に対し、その符号を明記するに当たり、同一の構成要素に対して、その構成要素がたとえ他の図面上に表示されても同一の符号を有するように、すなわち、明細書の全体にわたって同じ参照符号は、同じ構成要素を指している。
【００４２】
本明細書に添付された図面において、本発明を構成する各構成要素の大きさ、位置、結合関係などは、本発明の思想を十分に明確に伝えるようにするために、または説明の便宜のために、一部を誇張または縮小したり、省略して記述することができ、したがって、その比例や縮尺が厳密ではないことがある。
【００４３】
なお、以下において、本発明を説明するにおいて、本発明の要旨を不必要に曖昧にすることができると判断される構成、例えば、従来の技術を含む公知の技術に関する詳細な説明は省略することもできる。
【００４４】
以下で説明されるモバイル機器は、インターネット通信などのコンピュータ支援機能が可能なスマートフォン（ｓｍａｒｔ  ｐｈｏｎｅ）、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、スマートパッド（ｓｍａｒｔ  ｐａｄ）などを含む。
【００４５】
図１は、本発明により、モバイル機器を利用するスクリーン野球の競技方法を具現するためのシステムの構成図であり、モバイル機器（１００）、ゲーム運営部（２１０）及びＤＢサーバ（３００）を備え、ゲーム運営部（２１０）は、オペレータＰＣ（２１２）及びディスプレイ部（２１４）を含む。
【００４６】
図１及び図２を参照し、本発明の一実施例によるスクリーン制御装置の各構成要素のおよその機能を説明すると、次の通りである。構成要素間の有機的な詳細動作説明は後述する。
【００４７】
モバイル機器（１００）は、スクリーン野球の競技アプリケーションがダウンロードされてＤＢサーバ（３００）に所定の会員登録を通じてユーザを会員として登録させ、オペレータＰＣ（２１２）から会員が認証されると、Ｗｉ−Ｆｉエリアで自動ログインされてスクリーン野球競技の攻撃または守備コントロールをリアルタイムで実行し、Ｗｉ−Ｆｉエリアを離脱した場合、自動ログアウトされる。
【００４８】
オペレータＰＣ（２１２）は、ディスプレイ部（２１４）に識別子のイメージ、すなわちＷｉ−Ｆｉサービスセット識別子のイメージ（Ｓｅｒｖｉｃｅ  Ｓｅｔ  Ｉｄｅｎｔｉｆｉｅｒ、ＳＳＩＤ）がディスプレイされてＷｉ−Ｆｉエリア内で内蔵されたカメラ機能を利用し、Ｗｉ−Ｆｉサービスのセット識別子のイメージを撮影し、認識されたモバイル機器（１００）を自動的にログインさせる。
【００４９】
ＤＢサーバ（３００）は、既に保存されている会員の関連情報をオペレータＰＣ（２１２）に提供し、既に保存されているスクリーン野球の競技の打者に対する選手能力データ及び投手に対するデータをモバイル機器（１００）に提供する。
【００５０】
モバイル機器（１００）とオペレータＰＣ（２１２）は、相互で無線接続されて双方向通信を通じて前記情報及びデータの転送が可能である。
図２は、本発明の一実施例によるモバイル機器を利用するスクリーン野球の競技方法の動作を概略的に示すフローチャートである。
【００５１】
図１及び図２を参照し、本発明の一実施例によるモバイル機器を利用するスクリーン野球の競技方法の概略的な動作を説明すると、次の通りである。
ユーザのモバイル機器（１００）上で、本発明のアプリケーションが実行された後、オペレータＰＣ（２１２）のディスプレイ部（２１４）に表示されたＷｉ−Ｆｉサービスのセット識別子のイメージをモバイル機器（１００）が、内蔵されたカメラ機能を利用して撮影して認識する（Ｓ１００）。
【００５２】
モバイル機器（１００）のユーザが登録されている会員か否かは、モバイル機器（１００）に、本発明のアプリケーションがインストールされているかどうかに応じて決定される（Ｓ２００）。
【００５３】
登録された会員であることが確認された場合、モバイル機器（１００）がオペレータＰＣ（２１２）のディスプレイ部（２１４）に表示されたＷｉ−Ｆｉサービスのセット識別子のイメージを撮影して認識したモバイル機器（１００）のユーザのユーザ情報を送信して自動ログインされ（Ｓ３００）、登録された会員であることが確認されていない場合は、動作が終了する。
【００５４】
このとき、自動ログインをする過程で、オペレータＰＣ（２１２）は、ＤＢサーバ（３００）に既に保存されている会員の関連情報をリーディングする。
自動ログインされたモバイル機器（１００）がＷｉ−Ｆｉエリアに位置する場合は、モバイル機器（１００）がコントローラとしてスクリーン野球の競技をコントロールする（Ｓ４００）。
【００５５】
図３は、図２に示されたスクリーン野球の競技方法の動作中の段階（Ｓ２００）の詳細動作を示すフローチャートである。
図１及び図３を参照し、図２に示されたスクリーン野球の競技方法の動作中の段階（Ｓ２００）の詳細動作を簡単に説明すると、次の通りである。
【００５６】
ユーザが自分のモバイル機器（１００）を通じて本発明のアプリケーションをインストールして会員として登録される（Ｓ５０）。
オペレータＰＣ（２１２）のディスプレイ部（２１４）にＷｉ−Ｆｉサービスのセット識別子のイメージがディスプレイされる（Ｓ８０）。
【００５７】
モバイル機器（１００）に、本発明のアプリケーションがインストールされているかどうかに応じて、ユーザが会員か否かが確認される（Ｓ２００）。
図４は、図２に示されたスクリーン野球の競技方法の動作中の段階（Ｓ４００）の詳細動作を示すフローチャートである。
【００５８】
図１及び図４を参照し、図２に示されたスクリーン野球の競技方法の動作中の段階（Ｓ４００）の詳細動作を簡単に説明すると、次の通りである。
まず、オペレータＰＣ（２１２）またはオペレータＰＣ（２１２）の近くにアクセスポイント（Ａｃｃｅｓｓ  Ｐｏｉｎｔ、ＡＰ）がインストールされていると仮定する。
【００５９】
自動ログインされたモバイル機器（１００）は、Ｗｉ−Ｆｉエリアを離脱したかどうかが随時確認される（Ｓ４１０）。
万が一、自動ログインされたモバイル機器（１００）がＷｉ−Ｆｉエリアを離脱した場合、モバイル機器（１００）は、自動ログアウトされる（Ｓ４１５）。
【００６０】
自動ログアウトされたモバイル機器（１００）は、Ｗｉ−Ｆｉエリアに戻って再入したかどうかが随時確認される（Ｓ４２０）。
自動ログアウトされたモバイル機器（１００）がＷｉ−Ｆｉエリアに戻って再入された場合、モバイル機器（１００）は、再び自動ログインされた後、段階（Ｓ４１０）に回帰する。
【００６１】
万が一、自動ログアウトされたモバイル機器（１００）がＷｉ−Ｆｉエリアに再入されたことが確認されていない場合は、モバイル機器（１００）がＷｉ−Ｆｉエリアに再入するまで再入確認動作（Ｓ４２０）を繰り返す。
【００６２】
段階（Ｓ４１０）において、モバイル機器（１００）がＷｉ−Ｆｉエリアから離脱されていないことが確認された場合、モバイル機器（１００）がコントローラとしてスクリーン野球の競技の攻撃または守備コントロールを行う（Ｓ４４０）。
【００６３】
ユーザがモバイル機器（１００）を介してスクリーン野球の競技を行った後、オペレータＰＣ（２１２）は、モバイル機器（１００）がスクリーン野球の競技進行を続けているかどうかを確認する（Ｓ４５０）。
【００６４】
モバイル機器（１００）がスクリーン野球の競技進行を続けていると確認された場合、オペレータＰＣ（２１２）は、段階（Ｓ４１０）に回帰し、スクリーン野球の競技進行を続けていると確認されない場合は、動作が終了する。
【００６５】
図１〜図４を参照し、本発明の一実施例によるモバイル機器を利用するスクリーン野球の競技方法の詳細動作を説明すると、次の通りである。
まず、ユーザがモバイル機器（１００）に、本発明のアプリケーションをインストールして会員として登録されており（Ｓ５０）、オペレータＰＣ（２１２）のディスプレイ部（２１４）には、現在のＷｉ−Ｆｉサービスのセット識別子のイメージがディスプレイされている（Ｓ８０）と仮定する。
【００６６】
ユーザがモバイル機器（１００）において、本発明のアプリケーションを実行させた後、モバイル機器（１００）をカメラモードにして、オペレータＰＣ（２１２）のディスプレイ部（２１４）に表示されたＷｉ−Ｆｉサービスのセット識別子のイメージを撮影して認識すると（Ｓ１００）、本発明のアプリケーションがインストールされたモバイル機器（１００）のユーザが登録されている会員であることを認識する（Ｓ２００）。
【００６７】
ここで、Ｗｉ−Ｆｉサービスセット識別子（Ｓｅｒｖｉｃｅ  Ｓｅｔ  Ｉｄｅｎｔｉｆｉｅｒ、ＳＳＩＤ）とは、無線ＬＡＮを介して送信されるすべてのパケットのヘッダに存在する固有の識別子であり、無線ＬＡＮクライアントがＩＥＥＥ  ８０２．１１の最も基本的なネットワーク構成単位である基本的なサービスセット（Ｂａｓｉｃ  Ｓｅｒｖｉｃｅ  Ｓｅｔ、ＢＳＳ）に接続するとき、各無線ＬＡＮを他の無線ＬＡＮと区別するために使用される識別子である。
【００６８】
本発明において、Ｗｉ−Ｆｉサービスセット識別子に付与される固有の情報は、スクリーン野球の競技装置のＩＰアドレスなどを含む。
モバイル機器（１００）でオペレータＰＣ（２１２）のディスプレイ部（２１４）に表示されたＷｉ−Ｆｉサービスのセット識別子のイメージを撮影して認識したユーザが登録されている会員であることが確認された場合、モバイル機器（１００）からオペレータＰＣ（２１２）にユーザ情報を送信し、自動ログインされる（Ｓ３００）。
【００６９】
段階（Ｓ２００）で登録された会員であることが確認されていない場合は、ログインに失敗して動作が終了する。
自動ログインされたモバイル機器（１００）は、Ｗｉ−Ｆｉエリアに進入した後、リアルタイムで随時に離脱されたかどうかが確認される（Ｓ４１０）。
【００７０】
Ｗｉ−Ｆｉエリアから離脱されていない場合は、本格的なゲームモードに進入し、モバイル機器（１００）がコントローラとしてスクリーン野球の競技の攻撃または守備に対する諸般のコントロールをゲームの中断なしにリアルタイムで実行するようになる（Ｓ４４０）。
【００７１】
自動ログインされたモバイル機器（１００）が所定の事由によりＷｉ−Ｆｉエリアから離脱した場合、例えば、ユーザが自動的にログインされたモバイル機器（１００）を携帯した状態でしばらく席をはずした場合、自動ログインされたモバイル機器（１００）は、自動ログアウトされる（Ｓ４１５）。
【００７２】
自動ログアウトされたモバイル機器（１００）は、Ｗｉ−Ｆｉエリアに再入されたかどうかがリアルタイムで随時確認される（Ｓ４２０）。
Ｗｉ−Ｆｉエリアに再入されたことが確認された場合、モバイル機器（１００）は、再び自動ログインされた後、段階（Ｓ４１０）に回帰する。
【００７３】
Ｗｉ−Ｆｉエリアに再入されたことが確認されていない場合は、Ｗｉ−Ｆｉエリアに再入されたことが確認されるまで、段階（Ｓ４２０）を繰り返す。
段階（Ｓ４５０）において、モバイル機器（１００）がコントローラとして実行するスクリーン野球の競技の攻撃または守備の諸般のコントロール機能は、次のとおりである。
【００７４】
たとえば、攻撃モードでは、守備のチームに公開されていない状態で、モバイル機器（１００）でバスター（バントの姿勢であるが、突然ヒッティングに変える打撃術）、代走、盗塁、ヒットエンドラン、ランエンドヒット、バント（犠牲バント、奇襲バント、スクイズバント）などを選択し、攻撃のゲームをコントロールすることができる。
【００７５】
また、打者の打順を調整したり、ＤＢサーバ（３００）に既に保存されている打者の選手能力データ（例えば、選球眼、反応速度、パワー、長打力、巧打力）を参照してピンチヒッタを実行させることができる。
【００７６】
守備モードでは、攻撃チームに公開されていない状態で、モバイル機器（１００）で守備シフト（攻撃チームの出塁状況に応じて、守備の選手らの前進または後進の配置）、投手の球種、球の変化、球速、制球力、敬遠などを選択し、守備のゲームをコントロールすることができる。
【００７７】
また、先発投手または抑え投手を交換したり、先発ローテーションの順序を変更することもできる。
このような方式で、ユーザがモバイル機器（１００）を介してスクリーン野球の競技を行った後、オペレータＰＣ（２１２）は、スクリーン野球の競技の進行を継続するかどうかを確認する（Ｓ４５０）。
【００７８】
もし、ユーザがモバイル機器（１００）で実行されているゲームのメニューから終了ボタンをタッチしたり、既に設定された所定時間、モバイル機器（１００）で、ユーザの入力がない場合は、オペレータＰＣ（２１２）は、スクリーン野球の競技の進行を継続する意思がユーザにないことと確認して動作が終了する。
【００７９】
そうでない場合には、オペレータＰＣ（２１２）は、スクリーン野球の競技の進行を継続する意思がユーザにあることを確認して段階（Ｓ４１０）に回帰する。
このように、本発明のモバイル機器を利用するスクリーン野球の競技方法は、モバイル機器でスクリーン野球システムに配置されたオペレータＰＣのディスプレイ部で提供されるＷｉ−Ｆｉサービスのセット識別子を認識し、別途のリーダーなしに自動ログインし、スクリーン野球の競技の攻撃または守備に対するコントロールが可能なコントローラとして使用することができる。
【００８０】
これにより、本発明は、別途のリーダーのインストールなしに、ユーザがモバイル機器でスクリーン野球システムに配置されたオペレータＰＣに表示されたＷｉ−Ｆｉサービスのセット識別子のイメージを撮影し、単純に認識する動作だけで、自動ログインされるため、ユーザの簡便性及び利便性が向上し、オペレータの生産性が向上する。
【００８１】
また、ユーザがモバイル機器をスクリーン野球の競技の攻撃または守備に対するコントローラとして、ゲームの中断なしにリアルタイムで作戦などを変更することができ、ユーザの参加度及び興味を効果的に誘発することができるようになる。
【００８２】
以上、いくつかの例を挙げて本発明の好ましい様々な実施例について説明したが、「発明を実施するための形態」の項目に記載されたさまざまな実施例に関する説明は、例示的なものに過ぎず、本発明が属する技術分野において通常の知識を有する者であれば、以上の説明から、本発明を多様に変形して実施するか、本発明と均等な実施を行うことができるという点をよく理解するであろう。
【００８３】
また、本発明は、他の多様な形で具現することができるため、本発明が上述した説明により限定されるものではなく、以上の説明は、本発明の開示内容が完全になるようにするためのものであって、本発明が属する技術分野において通常の知識を有する者に本発明の範疇を完全に知らせるために提供されているものに過ぎず、本発明は、請求の範囲の各請求項により定義されるだけであることを理解すべきである。
【符号の説明】
【００８４】
１００…モバイル機器、２１０…ゲーム運営部、２１２…オペレータＰＣ、２１４…ディスプレイ部、３００…ＤＢサーバ。
【図１】
2018033952.tif 000003
【図２】
2018033952.tif 000004
【図３】
2018033952.tif 000005
【図４】
2018033952.tif 000006